【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
少なくとも一部が透明または半透明である遊技盤と、
前記遊技盤の後方で動作可能である演出部材と、
少なくとも一部が前記遊技盤の透明または半透明な部分を通じて視認可能な装飾部材と、
を備え、
前記装飾部材は、前記遊技盤の透明または半透明な部分の後方に位置するとともに、前端が前記演出部材の前端よりも前方に位置する規制部を有することを特徴とする遊技機。
【請求項２】
前記規制部の前端は、前記遊技盤の後面に対向する平坦面であることを特徴とする請求項１に記載の遊技機。
【手続補正２】
【補正対象書類名】明細書
【補正対象項目名】０００６
【補正方法】変更
【補正の内容】
【０００６】
上記課題を解決するためになされた請求項１の発明にかかる遊技機は、少なくとも一部が透明または半透明である遊技盤と、前記遊技盤の後方で動作可能である演出部材と、少なくとも一部が前記遊技盤の透明または半透明な部分を通じて視認可能な装飾部材と、を備え、前記装飾部材は、前記遊技盤の透明または半透明な部分の後方に位置するとともに、前端が前記演出部材の前端よりも前方に位置する規制部を有することを特徴とすることを特徴とする。
【手続補正３】
【補正対象書類名】明細書
【補正対象項目名】０００７
【補正方法】変更
【補正の内容】
【０００７】
請求項２に記載の発明は、請求項１に記載の遊技機において、前記規制部の前端は、前記遊技盤の後面に対向する平坦面であることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明によれば、遊技盤の後方に前端が演出部材の前端よりも前方に位置する規制部を備えるため、遊技盤が撓む等して演出部材側に変位したとしても、その変位は規制部によって抑えられるから、遊技盤と演出部材の干渉を防止することが可能である。
また、規制部は、遊技盤の透明または半透明な部分を通じて視認可能である装飾部材に設けられる。つまり、遊技盤（遊技領域）を装飾するための部材を、遊技盤の変位を規制し、演出部材との干渉を防止する部材としても利用することが可能である。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００４４
【補正方法】変更
【補正の内容】
【００４４】
上記実施形態における演出部材１１は、動作部分１１１が支持部分１１２に対して回転するものであることを説明したが、遊技盤９０の後方で動作可能なものであれば（動作する部分と遊技盤９０が干渉してしまうおそれがあるものであれば）このような動作（回転）に限られない。また、上記実施形態における演出部材１１は、全体（動作部分１１１および支持部分１１２）が上下方向にスライドするものであることを説明したが、遊技盤９０の後方（上記実施形態における原位置）に固定された状態にあってもよい。つまり、遊技盤９０の後方で所定の部位が動作するものであればよい。ただし、動作によって演出部材１１の前端位置が変位する場合には、その変位する前端位置が最も前方となる位置よりもさらに前方に規制部の前端が位置するようにすればよい。
上記実施形態から得られる具体的手段（遊技機）を以下に列挙する。
手段１にかかる遊技機は、遊技盤と、前記遊技盤の後方で動作可能である演出部材と、前記遊技盤の後方に設けられ、前端が前記演出部材の前端よりも前方に位置する規制部と、を備えることを特徴とする。
手段２にかかる遊技機は、手段１に記載の遊技機において、前記遊技盤はその少なくとも一部が透明または半透明であり、前記規制部は、前記遊技盤の透明または半透明な部分を通じて視認可能な装飾部材に設けられていることを特徴とする。
手段３にかかる遊技機は、手段２に記載の遊技機において、前記演出部材を支持するベース部材を備え、前記ベース部材には、前記装飾部材の前記規制部となる部分の後方に接触して当該装飾部材を支持する突起が設けられていることを特徴とする。
手段４にかかる遊技機は、手段３に記載の遊技機において、前記装飾部材の前記規制部となる部分の後方に凹部が形成されており、前記突起が前記凹部に係合することにより、前記演出部材が前記ベース部材に対して位置決めされていることを特徴とする。
手段５にかかる遊技機は、手段２から手段４のいずれかに記載の遊技機において、前記装飾部材における前記規制部が形成された箇所以外の箇所は、当該規制部の前端より後方に位置することを特徴とする。
手段６にかかる遊技機は、手段１から手段５のいずれかに記載の遊技機において、前記規制部は第一規制部および第二規制部を含み、前記演出部材が前記遊技盤の後方に位置するとき、当該演出部材の一側面側に前記第一規制部が位置し、その反対面側に前記第二規制部が位置することを特徴とする。
手段１にかかる遊技機によれば、遊技盤の後方に前端が演出部材の前端よりも前方に位置する規制部を備えるため、遊技盤が撓む等して演出部材側に変位したとしても、その変位は規制部によって抑えられるから、遊技盤と演出部材の干渉を防止することが可能である。
手段２にかかる遊技機では、規制部は、遊技盤の透明または半透明な部分を通じて視認可能である装飾部材に設けられる。つまり、遊技盤（遊技領域）を装飾するための部材を、遊技盤の変位を規制し、演出部材との干渉を防止する部材としても利用することが可能である。
手段３にかかる遊技機では、ベース部材に、装飾部材の規制部となる部分の後方に接触して当該装飾部材を支持する突起が設けられる。つまり、少なくとも前後方向における演出部材と装飾部材の相対的な位置関係は、ベース部材を介して規制される。したがって、前後方向における装飾部材に設けられる規制部と演出部材の位置ずれを防止することができ、演出部材と遊技盤の干渉をより確実に防止することが可能となる。また、前方に突出するように形成される規制部の後方側を、装飾部材をベース部材に対して支持させるための要素として機能させることができる。
手段４にかかる遊技機のように、規制部となる部分の後方側に凹部を形成し、当該凹部に突起が係合されることで、装飾部材がベース部材に対して位置決めされるように構成すれば、演出部材と装飾部材が、ベース部材を介して位置決めされることとなる。つまり、装飾部材に設けられる規制部と演出部材の位置ずれを防止することができ、演出部材と遊技盤の干渉をより確実に防止することが可能となる。また、規制部は前方に突出するように形成される部分であるから、その後方に凹部を形成することが容易である。
手段５にかかる遊技機のように、装飾部材における規制部が形成された箇所以外の箇所が、当該規制部の前端より後方に位置するようにすれば、遊技盤が撓む等して遊技盤と装飾部材における規制部が形成された箇所以外の装飾箇所が接触してしまうのを防止することが可能である。
手段６にかかる遊技機のように、演出部材を挟むように二つの規制部を設ければ、演出部材と遊技盤の干渉をより確実に防止することが可能となる。